(57)【要約】      （修正有）【課題】外れ難く、耐久性に優れ、且つ視覚的インパクトが大きく外観品質が高い、皮革製品への装飾部材の取り付け構造を提供する。【解決手段】皮革製品への装飾部材の取り付け構造１０であって、所定形状の孔部１３を有する外皮革材１２と、該外皮革材の裏面側に配設された芯部材１４と、該芯部材の反外皮革材側に配置された裏地部材１５と、上記外皮革材の孔部に嵌合しうる装飾用板材とを備え、上記装飾用板材の裏面側には、上記芯部材に貫通して係止されうる係止部材１７が取り付けられると共に、上記装飾用板材は、上記係止部材によって上記孔部内に固定された構成とする。【選択図】図２
0003159992.tif 000002
【実用新案登録請求の範囲】
【請求項１】
皮革製品への装飾部材の取り付け構造であって、
所定形状の孔部を有する外皮革材と、
上記外皮革材の裏面側に配設された芯部材と、
上記芯部材の反外皮革材側に配置された裏地部材と、
上記外皮革材の孔部に嵌合しうる装飾用板材とを備え、
上記装飾用板材の裏面側には、上記芯部材に貫通して係止されうる係止部材が取り付けられると共に、上記装飾用板材は、上記係止部材によって上記孔部内に固定されていることを特徴とする皮革製品への装飾部材の取り付け構造。
【請求項２】
上記外皮革材と上記芯部材、及び上記裏地部材とは、上記孔部の外周縁部に沿って厚さ方向に逢着により固定されていることを特徴とする請求項１に記載の皮革製品への装飾部材の取り付け構造。
【請求項３】
上記装飾板材は表面が鏡面加工された金属板から形成されていることを特徴とする請求項１または請求項２いずれか１項に記載の皮革製品への装飾部材の取り付け構造。
【請求項４】
上記金属板材の表面には装飾が施されていることを特徴とする請求項３記載の皮革製品への装飾部材の取り付け構造。
【請求項５】
上記皮革製品が財布であることを特徴とする請求項１から請求項４いずれか１項に記載の皮革製品への装飾部材の取り付け構造。
【考案の詳細な説明】
【技術分野】
【０００１】
本考案は財布及び小物入れ等の皮革製品への装飾部材の取り付け構造に関する。
【背景技術】
【０００２】
天然皮革及び合成皮革は、財布、パスケース、ハンドバッグ等、多種の製品に利用されており、その形状も様々なものが存在している。
【０００３】
皮革製品は他の布製製品等と比べると、比較的色合いが地味であることから、表面にシール若しくはビーズ等を貼り付けて装飾加工することが一般的に行われている。
しかしながら、財布やパスケース等は、ポケット、及びバッグ内に収納して携帯し、使用の都度に何度も取り出す必要があることから、ポケット等との摩擦よって貼り付けたビーズ等が外れ、外観品質が低下するという不具合を有していた。
また、ビーズ等を表面に貼り付けた場合には、表面に凹凸が生じるため、ポケットに収納した際に、凸部が体に当たり、収納時の違和感が強く、またポケットの内部等と装飾部材との摩擦も大きくなることから、装飾部材の耐久性が短くなるという別の不具合をも有していた。
【考案の開示】
【考案が解決しようとする課題】
【０００４】
本考案の解決する課題は、装飾部材が外れ難く、耐久性に優れ、且つ視覚的インパクトが大きく外観品質が高い、皮革製品への装飾部材の取り付け構造を提供することにある。
【課題を解決するための手段】
【０００５】
上記課題を解決するために、請求項１に記載した考案に係る皮革製品への装飾部材の取り付け構造は、所定形状の孔部を有する外皮革材と、上記外皮革材の裏面側に配設された芯部材と、上記芯部材の反外皮革材側に配置された裏地部材と、上記外皮革材の孔部に嵌合しうる装飾用板材とを備え、上記装飾用板材の裏面側には、上記芯部材に貫通して係止されうる係止部材が取り付けられると共に、上記装飾用板材は、上記係止部材によって、上記孔部内に固定されていることを特徴とする。
【０００６】
従って、装飾用板材が外皮革材の孔部の内部に嵌合し、上記装飾用板材は上記外皮革材表面よりも一段凹んだ位置に配置された状態で、上記係止部によって固定される。
【０００７】
また、請求項２に記載した考案に係る皮革製品への装飾部材の取り付け構造は、上記外皮革材と上記芯部材、及び上記裏地部材とは、上記孔部の外周縁部に沿って厚さ方向に逢着により固定されていることを特徴とする。
従って、逢着糸によって上記外皮革材と上記芯部材、及び上記裏地部材とが圧接した状態となる。
【０００８】
また、請求項３に記載した考案に係る皮革製品への装飾部材の取り付け構造は、上記装飾板材は表面が鏡面加工された金属板から形成されていることを特徴とする。
従って、上記装飾板材は、装着された状態で鏡としても機能する。
【０００９】
また、請求項４に記載した考案に係る皮革製品への装飾部材の取り付け構造は、上記金属板材の表面には装飾が施されていることを特徴とする。
【００１０】
また、請求項５に記載した考案に係る皮革製品への装飾部材の取り付け構造は、上記皮革製品が財布であることを特徴とする。
【考案の効果】
【００１１】
請求項１、及び請求項５の考案にあっては、所定形状の孔部を有する外皮革材と、上記外皮革材の裏面側に配設された芯部材と、上記芯部材の反外皮革材側に配置された裏地部材と、上記外皮革材の孔部に嵌合しうる装飾用板材とを備え、上記装飾用板材の裏面側には、上記芯部材に貫通して係止されうる係止部材が取り付けられると共に、上記装飾用板材は、上記係止部材によって上記孔部内に固定されていることから、ポケット等への出し入れ時に、装飾用板材がポケットの布地等に引っかかり難い。
従って、装飾部材が外れ難く、耐久性にも優れている
更に、孔部の形状及び装飾用板材の色彩等は任意に変更可能であるため、視覚的インパクトも大きく、外観品質に優れた皮革製品への装飾部材の取り付け構造を提供することができる。
【００１２】
また、請求項２の考案にあっては、上記外皮革材と上記芯部材、及び上記裏地部材とは、上記孔部の外周縁部に沿って厚さ方向に逢着により固定されていることから、逢着糸によって上記外皮革材と上記芯部材、及び上記裏地部材とは互い圧接した状態となり、上記係止部材が裏地部材と芯部材との間で強固に挟まれることから、上記装飾板材がより強固に固定される。
また、孔部の外周縁部に沿って逢着されるため、長期間の使用においても、孔部の端縁部がほつれて拡張することがないため、装飾部材が、より外れ難く、耐久性にも優れた皮革製品への装飾部材の取り付け構造を提供することができる。
【００１３】
また、請求項３の考案にあっては、上記装飾板材は表面が鏡面加工された金属板から形成されていることから、装飾部材としての機能の他、鏡としても活用できるため、より実用性に優れた皮革製品への装飾部材の取り付け構造を提供することができる。
【００１４】
また、請求項４の考案にあっては、上記金属板材の表面には装飾が施されている。
上記装飾は、塗料等による模様の描画、ビーズやラメ等の貼付等様々な方法を任意に選択することができる。
従って、個人の好みによって自由に装飾を変更することができるため、デザインのバリエーションがより多彩となる。
【図面の簡単な説明】
【００１５】
【図１】本考案の一実施の形態を示し、実施例の形態における皮革製品への装飾部材の取り付け構造を有する札入れ付き財布の正面図である。
【図２】本考案の一実施の形態を示し、図１のＡ―Ａ線における断面の拡大図である。
【考案を実施するための最良の形態】
【００１６】
本考案を実施するための形態について、皮革製品が札入れ付きの財布である場合を例に、添付図面を用いて説明する。
図１に示すように、本実施例に係る皮革製品への装飾部材の取り付け構造１０を有する札入れ付き財布１１は、所定形状の孔部１３を有する外皮革材１２と、図２に示すように、上記外皮革材１２の裏面側に配設された芯部材１４と、上記芯部材１４の反外皮革材側に配置された裏地部材１５と、上記外皮革材１２の孔部１３に嵌合しうる表面が鏡面加工された金属板材１６からなる装飾用板材とを備え、上記金属板材１６の裏面側には、上記芯部材１４に貫通して係止されうる係止部材１７、１７が取り付けられると共に、上記金属板材１６は、上記係止部材１７によって上記孔部１３内に固定されている。
また、上記外皮革材１２と上記芯部材１４、及び上記裏地部材１５とは、上記孔部１３の外周縁部に沿って厚さ方向に逢着により固定されている。
更に、上記金属板材１６の表面にはビーズ２０が貼付されることによって装飾が施されている。
【実施例１】
【００１７】
本実施例の構成について、以下図面を用いて説明する。
図１は、実施例の形態における皮革製品への装飾部材の取り付け構造を有する札入れ付き財布の正面図を示している。
図１に示すように本実施例における皮革製品への装飾部材の取り付け構造１０を有する財布１１は、全体が皮革から形成され、幅方向一端部に開口部２２を有し、薄型略直方体形に形成された収納部２１と、上記収納部２１の背面板部２４の上端部に延設され、上記収納部２１の開口部２２を被覆すると共に、上記収納部２１の前面側に折り返され、上記収納部２１の前面部を被覆しうる蓋板部２３とを備えている。
また、上記蓋板部２３の外皮革材１２の表面には、ハート型に型取られた孔部１３が形成され、上記孔部１３には、上記孔部１３と略同一のハート型に形成された金属板材１６が嵌め込まれている。
【００１８】
また、図２は、図１のＡ―Ａ線における断面の拡大図である。
図２に示すように、金属板材１６は、外皮革材１２の孔部１３内部に嵌め込まれており、上記外皮革材１２と、厚紙からなる芯部材１４との間に挟まれて配置されている。
また、上記金属板材１６の芯部材１４側には、金属製の棒状の係止部材１７、１７が取り付けられている。
上記係止部材１７、１７は、上記芯部材１４を貫通し、上記芯部材１４と上記裏地部材１５の間で、略Ｌ字形状に折り曲げられ、上記金属板材１６を上記芯部材１４に当接した状態で固定している。
【００１９】
図２に示すように、上記孔部１３の外周縁部に沿って、上記外皮革材１２と上記芯部材１４、及び上記裏地部材１５は厚さ方向に糸材１８によって逢着され、互いに圧接して固定されている。
従って、上記係止部材１７、１７は上記裏地部材１５と芯部材１４との間で強固に挟まれて固定されるため、上記孔部１３に嵌合した金属板材１６が外れ難く、また、緩みやズレも生じ難い。
なお、本実施例においては、係止部材１７、１７が２本配設された構成を例として説明しているが、係止部材１７の本数については特に限定する必要は無い。
【００２０】
また、図２に示すように、上記金属板材１６は、上記外皮革材１２の厚さ寸法分上記外皮革材１２の表面よりも凹んだ位置に配置されることから、ビーズ２０等を上記金属板材１６上に貼り付けた場合でも、ビーズ２０が上記外皮革材１２の表面から盛り上がってしまうことが無い。
従って、ポケット等に財布１１を収納した場合でも外皮革材１２の表面に凹凸が生じ難く、ポケット等に収納した場合の違和感がない。
またビーズ２０等とポケットの内部等との摩擦も小さいことから、装飾部材の耐久性がより向上する。
【００２１】
なお、上記ビーズ２０等は自由に取り外し及び交換が可能であるため、デザインの変更が容易に可能であり、またビーズ２０等を取り外して、金属板材１６を鏡として用いることも可能であるため、多彩なデザインバリエーションを提供することができる。
【００２２】
なお、本実施例においては皮革製品が札入れつき財布である場合を例に説明したが、札入れ付き財布の収納部の形態、蓋部等の形状、全体の大きさ等については、製品に応じて適宜変更することができるため、本実施例に係る装飾部材の取り付け構造については、あらゆる皮革部材に応用可能である。
また、ここでいう皮革とは、天然皮革、合成皮革を問わず、皮革感を有する素材であれば広く適用が可能である。
従って、財布のみならず、小銭いれ、小物入れ、バッグ等、様々な皮革製品に対しても本実施例を応用することができる。
【産業上の利用可能性】
【００２３】
本考案は財布及び小物入れ等の皮革製品への装飾部材の取り付け構造に適用することができる。
【符号の説明】
【００２４】
１０  皮革製品への装飾部材の取り付け構造
１１  札入れ付き財布  
１２  外皮革材  
１３  孔部
１４  芯部材
１５  裏地部材
１６  金属板材
１７  係止部材
１８  逢着糸
２０  ビーズ
２１  収納部
２２  収納部の開口部
２３  蓋板部
２４  収納部の背面板部
【図１】
0003159992.tif 000003
【図２】
0003159992.tif 000004
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
皮革製品への装飾部材の取り付け構造であって、
所定形状の孔部を有する外皮革材と、
上記外皮革材の裏面側に配設された芯部材と、
上記芯部材の反外皮革材側に配置された裏地部材と、
上記外皮革材の孔部に嵌合しうる装飾用板材とを備え、
上記装飾用板材の裏面側には、上記芯部材に貫通して係止されうる係止部材が取り付けられると共に、上記装飾用板材は、上記係止部材によって上記孔部内に固定されていることを特徴とする皮革製品への装飾部材の取り付け構造。
【請求項２】
上記外皮革材と上記芯部材、及び上記裏地部材とは、上記孔部の外周縁部に沿って厚さ方向に逢着により固定されていることを特徴とする請求項１に記載の皮革製品への装飾部材の取り付け構造。
【請求項３】
上記装飾用板材は表面が鏡面加工された金属板から形成されていることを特徴とする請求項１または請求項２いずれか１項に記載の皮革製品への装飾部材の取り付け構造。
【請求項４】
上記金属板の表面には装飾が施されていることを特徴とする請求項３記載の皮革製品への装飾部材の取り付け構造。
【請求項５】
上記皮革製品が財布であることを特徴とする請求項１から請求項４いずれか１項に記載の皮革製品への装飾部材の取り付け構造。
【手続補正２】
【補正対象書類名】明細書
【補正対象項目名】全文
【補正方法】変更
【補正の内容】
【考案の詳細な説明】
【技術分野】
【０００１】
本考案は財布及び小物入れ等の皮革製品への装飾部材の取り付け構造に関する。
【背景技術】
【０００２】
天然皮革及び合成皮革は、財布、パスケース、ハンドバッグ等、多種の製品に利用されており、その形状も様々なものが存在している。
【０００３】
皮革製品は他の布製製品等と比べると、比較的色合いが地味であることから、表面にシール若しくはビーズ等を貼り付けて装飾加工することが一般的に行われている。
しかしながら、財布やパスケース等は、ポケット、及びバッグ内に収納して携帯し、使用の都度に何度も取り出す必要があることから、ポケット等との摩擦よって貼り付けたビーズ等が外れ、外観品質が低下するという不具合を有していた。
また、ビーズ等を表面に貼り付けた場合には、表面に凹凸が生じるため、ポケットに収納した際に、凸部が体に当たり、収納時の違和感が強く、またポケットの内部等と装飾部材との摩擦も大きくなることから、装飾部材の耐久性が短くなるという別の不具合をも有していた。
【考案の開示】
【考案が解決しようとする課題】
【０００４】
本考案の解決する課題は、装飾部材が外れ難く、耐久性に優れ、且つ視覚的インパクトが大きく外観品質が高い、皮革製品への装飾部材の取り付け構造を提供することにある。
【課題を解決するための手段】
【０００５】
上記課題を解決するために、請求項１に記載した考案に係る皮革製品への装飾部材の取り付け構造は、所定形状の孔部を有する外皮革材と、上記外皮革材の裏面側に配設された芯部材と、上記芯部材の反外皮革材側に配置された裏地部材と、上記外皮革材の孔部に嵌合しうる装飾用板材とを備え、上記装飾用板材の裏面側には、上記芯部材に貫通して係止されうる係止部材が取り付けられると共に、上記装飾用板材は、上記係止部材によって、上記孔部内に固定されていることを特徴とする。
【０００６】
従って、装飾用板材が外皮革材の孔部の内部に嵌合し、上記装飾用板材は上記外皮革材表面よりも一段凹んだ位置に配置された状態で、上記係止部によって固定される。
【０００７】
また、請求項２に記載した考案に係る皮革製品への装飾部材の取り付け構造は、上記外皮革材と上記芯部材、及び上記裏地部材とは、上記孔部の外周縁部に沿って厚さ方向に逢着により固定されていることを特徴とする。
従って、逢着糸によって上記外皮革材と上記芯部材、及び上記裏地部材とが圧接した状態となる。
【０００８】
また、請求項３に記載した考案に係る皮革製品への装飾部材の取り付け構造は、上記装飾用板材は表面が鏡面加工された金属板から形成されていることを特徴とする。
従って、上記装飾用板材は、装着された状態で鏡としても機能する。
【０００９】
また、請求項４に記載した考案に係る皮革製品への装飾部材の取り付け構造は、上記金属板の表面には装飾が施されていることを特徴とする。
【００１０】
また、請求項５に記載した考案に係る皮革製品への装飾部材の取り付け構造は、上記皮革製品が財布であることを特徴とする。
【考案の効果】
【００１１】
請求項１、及び請求項５の考案にあっては、所定形状の孔部を有する外皮革材と、上記外皮革材の裏面側に配設された芯部材と、上記芯部材の反外皮革材側に配置された裏地部材と、上記外皮革材の孔部に嵌合しうる装飾用板材とを備え、上記装飾用板材の裏面側には、上記芯部材に貫通して係止されうる係止部材が取り付けられると共に、上記装飾用板材は、上記係止部材によって上記孔部内に固定されていることから、ポケット等への出し入れ時に、装飾用板材がポケットの布地等に引っかかり難い。
従って、装飾部材が外れ難く、耐久性にも優れている
更に、孔部の形状及び装飾用板材の色彩等は任意に変更可能であるため、視覚的インパクトも大きく、外観品質に優れた皮革製品への装飾部材の取り付け構造を提供することができる。
【００１２】
また、請求項２の考案にあっては、上記外皮革材と上記芯部材、及び上記裏地部材とは、上記孔部の外周縁部に沿って厚さ方向に逢着により固定されていることから、逢着糸によって上記外皮革材と上記芯部材、及び上記裏地部材とは互い圧接した状態となり、上記係止部材が裏地部材と芯部材との間で強固に挟まれることから、上記装飾用板材がより強固に固定される。
また、孔部の外周縁部に沿って逢着されるため、長期間の使用においても、孔部の端縁部がほつれて拡張することがないため、装飾部材が、より外れ難く、耐久性にも優れた皮革製品への装飾部材の取り付け構造を提供することができる。
【００１３】
また、請求項３の考案にあっては、上記装飾用板材は表面が鏡面加工された金属板から形成されていることから、装飾部材としての機能の他、鏡としても活用できるため、より実用性に優れた皮革製品への装飾部材の取り付け構造を提供することができる。
【００１４】
また、請求項４の考案にあっては、上記金属板の表面には装飾が施されている。
上記装飾は、塗料等による模様の描画、ビーズやラメ等の貼付等様々な方法を任意に選択することができる。
従って、個人の好みによって自由に装飾を変更することができるため、デザインのバリエーションがより多彩となる。
【図面の簡単な説明】
【００１５】
【図１】本考案の一実施の形態を示し、実施例の形態における皮革製品への装飾部材の取り付け構造を有する札入れ付き財布の正面図である。
【図２】本考案の一実施の形態を示し、図１のＡ―Ａ線における断面の拡大図である。
【考案を実施するための最良の形態】
【００１６】
本考案を実施するための形態について、皮革製品が札入れ付きの財布である場合を例に、添付図面を用いて説明する。
図１に示すように、本実施例に係る皮革製品への装飾部材の取り付け構造１０を有する札入れ付き財布１１は、所定形状の孔部１３を有する外皮革材１２と、図２に示すように、上記外皮革材１２の裏面側に配設された芯部材１４と、上記芯部材１４の反外皮革材側に配置された裏地部材１５と、上記外皮革材１２の孔部１３に嵌合しうる表面が鏡面加工された金属板１６からなる装飾用板材とを備え、上記金属板１６の裏面側には、上記芯部材１４に貫通して係止されうる係止部材１７、１７が取り付けられると共に、上記金属板１６は、上記係止部材１７によって上記孔部１３内に固定されている。
また、上記外皮革材１２と上記芯部材１４、及び上記裏地部材１５とは、上記孔部１３の外周縁部に沿って厚さ方向に逢着により固定されている。
更に、上記金属板１６の表面にはビーズ２０が貼付されることによって装飾が施されている。
【実施例１】
【００１７】
本実施例の構成について、以下図面を用いて説明する。
図１は、実施例の形態における皮革製品への装飾部材の取り付け構造を有する札入れ付き財布の正面図を示している。
図１に示すように本実施例における皮革製品への装飾部材の取り付け構造１０を有する財布１１は、全体が皮革から形成され、幅方向一端部に開口部２２を有し、薄型略直方体形に形成された収納部２１と、上記収納部２１の背面板部２４の上端部に延設され、上記収納部２１の開口部２２を被覆すると共に、上記収納部２１の前面側に折り返され、上記収納部２１の前面部を被覆しうる蓋板部２３とを備えている。
また、上記蓋板部２３の外皮革材１２の表面には、ハート型に型取られた孔部１３が形成され、上記孔部１３には、上記孔部１３と略同一のハート型に形成された金属板１６が嵌め込まれている。
【００１８】
また、図２は、図１のＡ―Ａ線における断面の拡大図である。
図２に示すように、金属板１６は、外皮革材１２の孔部１３内部に嵌め込まれており、上記外皮革材１２と、厚紙からなる芯部材１４との間に挟まれて配置されている。
また、上記金属板１６の芯部材１４側には、金属製の棒状の係止部材１７、１７が取り付けられている。
上記係止部材１７、１７は、上記芯部材１４を貫通し、上記芯部材１４と上記
裏地部材１５の間で、略Ｌ字形状に折り曲げられ、上記金属板１６を上記芯部材１４に当接した状態で固定している。
【００１９】
図２に示すように、上記孔部１３の外周縁部に沿って、上記外皮革材１２と上記芯部材１４、及び上記裏地部材１５は厚さ方向に糸材１８によって逢着され、互いに圧接して固定されている。
従って、上記係止部材１７、１７は上記裏地部材１５と芯部材１４との間で強固に挟まれて固定されるため、上記孔部１３に嵌合した金属板１６が外れ難く、また、緩みやズレも生じ難い。
なお、本実施例においては、係止部材１７、１７が２本配設された構成を例として説明しているが、係止部材１７の本数については特に限定する必要は無い。
【００２０】
また、図２に示すように、上記金属板１６は、上記外皮革材１２の厚さ寸法分上記外皮革材１２の表面よりも凹んだ位置に配置されることから、ビーズ２０等を上記金属板１６上に貼り付けた場合でも、ビーズ２０が上記外皮革材１２の表面から盛り上がってしまうことが無い。
従って、ポケット等に財布１１を収納した場合でも外皮革材１２の表面に凹凸が生じ難く、ポケット等に収納した場合の違和感がない。
またビーズ２０等とポケットの内部等との摩擦も小さいことから、装飾部材の耐久性がより向上する。
【００２１】
なお、上記ビーズ２０等は自由に取り外し及び交換が可能であるため、デザインの変更が容易に可能であり、またビーズ２０等を取り外して、金属板１６を鏡として用いることも可能であるため、多彩なデザインバリエーションを提供することができる。
【００２２】
なお、本実施例においては皮革製品が札入れつき財布である場合を例に説明したが、札入れ付き財布の収納部の形態、蓋部等の形状、全体の大きさ等については、製品に応じて適宜変更することができるため、本実施例に係る装飾部材の取り付け構造については、あらゆる皮革部材に応用可能である。
また、ここでいう皮革とは、天然皮革、合成皮革を問わず、皮革感を有する素材であれば広く適用が可能である。
従って、財布のみならず、小銭いれ、小物入れ、バッグ等、様々な皮革製品に対しても本実施例を応用することができる。
【産業上の利用可能性】
【００２３】
本考案は財布及び小物入れ等の皮革製品への装飾部材の取り付け構造に適用することができる。
【符号の説明】
【００２４】
１０  皮革製品への装飾部材の取り付け構造
１１  札入れ付き財布  
１２  外皮革材  
１３  孔部
１４  芯部材
１５  裏地部材
１６  金属板
１７  係止部材
１８  逢着糸
２０  ビーズ
２１  収納部
２２  収納部の開口部
２３  蓋板部
２４  収納部の背面板部